(57)【特許請求の範囲】
【請求項１】
エアコン室内機に利用される熱交換器組立品であって、
半包囲状をなすように設置されている主体熱交換器であって、前方熱交換器、中間熱交換器及び後方熱交換器を含み、前記前方熱交換器、中間熱交換器及び後方熱交換器には吸気方向においてそれぞれ少なくとも二列の熱交換管が設置され、前記中間熱交換器の熱交換管の数は前記前方熱交換器及び後方熱交換器より大きい前記主体熱交換器と、
前記主体熱交換器の風上側に設置されている背管熱交換器とを含み、
前記熱交換器組立品が冷房する時、前記熱交換器組立品の熱交換流路は前記背管熱交換器を経てから第一岐路、第二岐路及び第三岐路に分かれ、前記第一岐路、第二岐路及び第三岐路は何れも前記主体熱交換器の風上側の熱交換管から風下側の熱交換管に向かって流れ、前記第一岐路は前記前方熱交換器の熱交換管を流れ、前記第二岐路は前記中間熱交換器の熱交換管を流れ、前記第三岐路は前記後方熱交換器の熱交換管を流れ、且つ前記第一岐路と第三岐路の少なくとも一方は前記中間熱交換器の熱交換管に跨って設置されていて、
前記第三岐路は前記後方熱交換器の全ての熱交換管を流れ、前記第二岐路は前記中間熱交換器の一部の熱交換管を流れ、前記第一岐路は前記中間熱交換器の残りの熱交換管及び前記前方熱交換器の全ての熱交換管を流れる、
熱交換器組立品。
【請求項２】
前記第一岐路、第二岐路及び第三岐路がそれぞれ流れる熱交換管の数のうちいずれか二者の差が３より小さいか３に等しい請求項１に記載の熱交換器組立品。
【請求項３】
前記前方熱交換器、中間熱交換器及び後方熱交換器は何れも二列の熱交換管が設置され、前記主体熱交換器の熱交換管の総数は１８〜２２本である請求項２に記載の熱交換器組立品。
【請求項４】
前記前方熱交換器の熱交換管は第一外列と第一内列を含み、前記中間熱交換器の熱交換管は第二外列と第二内列を含み、前記第一外列と第二外列は前記主体熱交換器の風上側に位置し、
前記熱交換器組立品が冷房する時、前記第一岐路は前記第二外列から流れ込み、前記第二外列に沿って流れ第一ジャンパ管を経て前記第一外列に入り、前記第一外列と第一内列との全体を順に流れ、且つ前記第一内列から流れ出、前記第二岐路は前記第二外列から流れ込み、前記第二外列の残りの部分、及び第二内列全体を流れ、且つ前記第二内列から流れ出る請求項１に記載の熱交換器組立品。
【請求項５】
前記第一岐路は前記第二外列中部の熱交換管から流れ込み、且つ前記第二外列に沿って前記前方熱交換器側に向かって流れ、更に前記第一ジャンパ管を経て前記第一外列の前記中間熱交換器に近い熱交換管に入り、前記第一外列と第一内列との全体を順に流れ、更に前記第一内列の前記中間熱交換器に近い熱交換管から流れ出る請求項４に記載の熱交換器組立品。
【請求項６】
前記第二岐路は前記第二外列上の第一岐路が流れ込む熱交換管と隣り合う熱交換管から流れ込み、前記第二外列に沿って前記後方熱交換器側に向かって流れ、そして前記第二外列から前記第二内列の前記後方熱交換器に近い熱交換管に流れ込み、前記第二内列に沿って前記前方熱交換器側に向かって流れ、更に前記第二内列の前記前方熱交換器に近い熱交換管から流れ出る請求項５に記載の熱交換器組立品。
【請求項７】
前記後方熱交換器は第三内列と第三外列を含み、前記第三外列は前記主体熱交換器の風上側に位置し、
前記第三岐路は前記第三外列の前記中間熱交換器に近い熱交換管から流れ込み、そして前記第三外列と第三内列との全体を順に流れ、更に前記第三内列の前記中間熱交換器に近い熱交換管から流れ出る請求項１に記載の熱交換器組立品。
【請求項８】
前記前方熱交換器の熱交換管は第一外列と第一内列を含み、前記中間熱交換器の熱交換管は第二外列と第二内列を含み、前記後方熱交換器の熱交換管は第三外列と第三内列を含み、前記第一外列、第二外列及び第三外列は、何れも前記主体熱交換器の風上側と近接して設置され、
前記熱交換器組立品が冷房する時、前記第一岐路は前記第一外列から流れ込み、前記第一外列と第一内列との全体を順に流れ、更に第一ジャンパ管を経て前記第二内列に入り、且つ前記第二内列から流れ出、前記第二岐路は前記第二外列から流れ込み、前記第二外列全体、及び前記第二内列の残りの部分を順に流れ、且つ前記第二内列から流れ出、前記第三岐路は前記第三外列から流れ込み、前記第三外列と第三内列との全体を順に流れ、且つ前記第三内列から流れ出る請求項１に記載の熱交換器組立品。
【請求項９】
前記第一岐路は前記第一外列の前記中間熱交換器に近い熱交換管から入り、前記第一外列と第一内列との全体を順に流れ、前記第一内列の前記中間熱交換器に近い熱交換管に到達し、更に前記第一ジャンパ管を経て前記第二内列に入る請求項８に記載の熱交換器組立品。
【請求項１０】
前記前方熱交換器の熱交換管は第一外列と第一内列を含み、前記中間熱交換器の熱交換管は第二外列と第二内列を含み、前記後方熱交換器の熱交換管は第三外列と第三内列を含み、前記第一外列、第二外列及び第三外列は何れも前記主体熱交換器の風上側と近接して設置され、
前記熱交換器組立品が冷房する時、前記第一岐路は前記第二外列から流れ込み、前記第二外列に沿って流れ且つ第一ジャンパ管を経て前記第一外列に入り、そして前記第一外列と第一内列との全体を順に流れ、更に第二ジャンパ管を経て前記第二内列に入り、前記第二内列から流れ出、前記第二岐路は前記第二外列から流れ込み、前記第二外列と前記第二内列の残りの部分を順に流れ、且つ前記第二内列から流れ出、前記第三岐路は前記第三外列から流れ込み、前記第三外列と第三内列との全体を順に流れ、且つ前記第三内列から流れ出る請求項１に記載の熱交換器組立品。
【請求項１１】
前記背管熱交換器の熱交換管の管径が前記主体熱交換器の熱交換管の管径より大きい請求項１に記載の熱交換器組立品。
【請求項１２】
前記背管熱交換器は前記中間熱交換器の風上側に取り付けられている請求項１１に記載の熱交換器組立品。
【請求項１３】
前記背管熱交換器は前記後方熱交換器よりも前記前方熱交換器に近接して設置されている請求項１２に記載の熱交換器組立品。
【請求項１４】
前記背管熱交換器の熱交換管の数は２〜４本である請求項１１に記載の熱交換器組立品。
【請求項１５】
熱交換器組立品、及び前記熱交換器組立品を収容するように設置されている機器ケーシングを含むエアコン室内機であって、前記熱交換器組立品は、
半包囲状をなすように設置されている主体熱交換器であって、前方熱交換器、中間熱交換器及び後方熱交換器を含み、前記前方熱交換器、中間熱交換器及び後方熱交換器には吸気方向においてそれぞれ少なくとも二列の熱交換管が設置され、前記中間熱交換器の熱交換管の数は前記前方熱交換器及び後方熱交換器より大きい前記主体熱交換器と、
前記主体熱交換器の風上側に取り付けられている背管熱交換器とを含み、
前記熱交換器組立品が冷房する時、前記熱交換器組立品の熱交換流路は前記背管熱交換器を経てから第一岐路、第二岐路及び第三岐路に分かれ、前記第一岐路、第二岐路及び第三岐路は何れも前記主体熱交換器の風上側の熱交換管から風下側の熱交換管に向かって流れ、前記第一岐路は前記前方熱交換器の熱交換管を流れ、前記第二岐路は前記中間熱交換器の熱交換管を流れ、前記第三岐路は前記後方熱交換器の熱交換管を流れ、且つ前記第一岐路と第三岐路の少なくとも一方は前記中間熱交換器の熱交換管に跨って設置されていて、
前記第三岐路は前記後方熱交換器の全ての熱交換管を流れ、前記第二岐路は前記中間熱交換器の一部の熱交換管を流れ、前記第一岐路は前記中間熱交換器の残りの熱交換管及び前記前方熱交換器の全ての熱交換管を流れる、
エアコン室内機。
【請求項１６】
前記機器ケーシングの前後方向に沿う幅寸法は８００ｍｍより小さく、前記機器ケーシングの上下方向に沿う高さ寸法は２９５ｍｍより小さい請求項１５に記載のエアコン室内機。
【請求項１７】
前記熱交換器組立品が前記機器ケーシング内に設けられた時、前記後方熱交換器の配置方向と上下方向との角度範囲は３８°〜４８°である請求項１５に記載のエアコン室内機。
【請求項１８】
前記熱交換器組立品が前記機器ケーシング内に設けられた時、前記中間熱交換器及び前方熱交換器の配置方向と上下方向との角度範囲は４５°〜５５°である請求項１５に記載のエアコン室内機。
【請求項１９】
前記中間熱交換器と後方熱交換器の互いに近接する端部は互いに当接され、或いは
前記中間熱交換器と後方熱交換器の互いに近接する端部の間に隙間が存在しており、前記エアコン室内機は更に前記中間熱交換器と後方熱交換器の互いに近接する端部の風上側の間に跨って接続されているウィンドウシールドを含む請求項１５に記載のエアコン室内機。
【発明の詳細な説明】
【技術分野】
【０００１】
本願はエアコン製品の技術分野に関し、特に熱交換器組立品とエアコン室内機に関する。
【背景技術】
【０００２】
国内外でのエアコンエネルギー効率の絶え間ない進歩に伴い、如何にエアコンの熱交換器の熱交換効率を向上できるかは、早急に解決が求められている問題になっている。数多い解決案の中で、斬新設計のエアコンの中で熱交換器効率の高い熱交換器を利用するか、又は既に大量生産されたエアコンの熱交換効率の比較的低い熱交換器を、熱交換効率の高い熱交換器に交換することは、比較的有効なアプローチである。
【０００３】
例示的技術において、熱交換性能の比較的良いエアコン熱交換器は普通、前方熱交換器、中間熱交換器、及び後方熱交換器を含む半包囲式配置になっている。エアコン熱交換器が冷房作動条件にある場合、冷媒は３ウェイチューブによって三つに分かれ、それぞれ前方熱交換器、中間熱交換器及び後方熱交換器に入り、熱交換を行う。しかし、前方熱交換器、中間熱交換器及び後方熱交換器はエアコン機器ケーシング内の長方形空間に制約されているので、それぞれの寸法も互いに異なってしまう。これにより各熱交換器内で設置できる熱交換管の数にも一定の差がある。多くの場合、中間熱交換器の寸法は前方熱交換器或いは後方熱交換器の２倍ひいてはそれ以上である。それなりに、中間熱交換器内に設置されている熱交換管の数も前方熱交換器或いは後方熱交換器より遥かに多くなる。こうすると、冷媒が前方熱交換器或いは後方熱交換器に入ってからエアコン熱交換器から流れ出る前、通過される熱交換管の数は冷媒が中間熱交換器に入ることで通過する熱交換管の数より遥かに少ない。言い換えると、冷媒が前方熱交換器或いは後方熱交換器において熱交換する場合、十分に熱交換をせずに室内熱交換器から排出される可能性は高い。中間熱交換器において熱交換する場合では、既に十分熱交換をしても、尚続けて熱交換管を流れる可能性は高い。要するに、即ち、この類の流路設計はエアコン熱交換器の熱交換の不均衡を起こし、エアコン熱交換器のエネルギー効率を降下させてしまう。
【発明の概要】
【発明が解決しようとする課題】
【０００４】
本願の主な目的は、例示的技術案におけるエアコン熱交換器の中間熱交換器と前方熱交換器、後方熱交換器の熱交換均衡性を改善し、エアコン熱交換器のエネルギー効率を向上させる熱交換器組立品を提案することである。
【課題を解決するための手段】
【０００５】
上記目的を達成するために、本願が提案する熱交換器組立品は、
半包囲状をなすように設置されている主体熱交換器であって、前方熱交換器、中間熱交換器及び後方熱交換器を含み、前記前方熱交換器、中間熱交換器及び後方熱交換器には吸気方向においてそれぞれ少なくとも二列の熱交換管が設置され、前記中間熱交換器の熱交換管の数は前記前方熱交換器及び後方熱交換器より大きい前記主体熱交換器と、
前記主体熱交換器の風上側に取り付けられている背管熱交換器とを含み、
前記熱交換器組立品が冷房する時、前記熱交換器組立品の熱交換流路は前記背管熱交換器を経てから第一岐路、第二岐路及び第三岐路に分かれ、前記第一岐路、第二岐路及び第三岐路は何れも前記主体熱交換器の風上側の熱交換管から風下側の熱交換管に向かって流れ、前記第一岐路は前記前方熱交換器の熱交換管を流れ、前記第二岐路は前記中間熱交換器の熱交換管を流れ、前記第三岐路は前記後方熱交換器の熱交換管を流れ、且つ前記第一岐路と第三岐路の少なくとも一方は前記中間熱交換器の熱交換管に跨って設置されている。
【０００６】
好ましくは、前記第一岐路、第二岐路及び第三岐路がそれぞれ流れる熱交換管の数のうちいずれか二者の差が３より小さいか３に等しい。
【０００７】
好ましくは、前記前方熱交換器、中間熱交換器及び後方熱交換器は何れも二列の熱交換管が設置され、前記主体熱交換器の熱交換管の総数は１８〜２２本である。
【０００８】
好ましくは、前記第三岐路は前記後方熱交換器の全ての熱交換管を流れ、前記第二岐路は前記中間熱交換器の一部の熱交換管を流れ、前記第一岐路は前記中間熱交換器の残りの熱交換管及び前記前方熱交換器の全ての熱交換管を流れる。
【０００９】
好ましくは、前記前方熱交換器の熱交換管は第一外列と第一内列を含み、前記中間熱交換器の熱交換管は第二外列と第二内列を含み、前記第一外列と第二外列は前記主体熱交換器の風上側に位置し、
前記熱交換器組立品が冷房する時、前記第一岐路は前記第二外列から流れ込み、前記第二外列に沿って流れ第一ジャンパ管を経て前記第一外列に入り、前記第一外列と第一内列との全体を順に流れ、且つ前記第一内列から流れ出；前記第二岐路は前記第二外列から流れ込み、前記第二外列の残りの部分、及び第二内列全体を流れ、且つ前記第二内列から流れ出る。
【００１０】
好ましくは、前記第一岐路は前記第二外列中部の熱交換管から流れ込み、そして前記第二外列に沿って前記前方熱交換器側に向かって流れ、更に前記第一ジャンパ管を経て前記第一外列の前記中間熱交換器に近い熱交換管に入り、前記第一外列と第一内列との全体を順に流れ、更に前記第一内列の前記中間熱交換器に近い熱交換管から流れ出る。
【００１１】
好ましくは、前記第二岐路は前記第二外列上の第一岐路が流れ込む熱交換管と隣り合う熱交換管から流れ込み、前記第二外列に沿って前記後方熱交換器側に向かって流れ、そして前記第二外列から前記第二内列の前記後方熱交換器に近い熱交換管に流れ込み、前記第二内列に沿って前記前方熱交換器側に向かって流れ、更に前記第二内列の前記前方熱交換器に近い熱交換管から流れ出る。
【００１２】
好ましくは、前記後方熱交換器は第三内列と第三外列を含み、前記第三外列は前記主体熱交換器の風上側に位置し、
前記第三岐路は前記第三外列の前記中間熱交換器に近い熱交換管から流れ込み、そして前記第三外列と第三内列との全体を順に流れ、更に前記第三内列の前記中間熱交換器に近い熱交換管から流れ出る。
【００１３】
好ましくは、前記前方熱交換器の熱交換管は第一外列と第一内列を含み、前記中間熱交換器内の熱交換管は第二外列と第二内列を含み、前記後方熱交換器の熱交換管は第三外列と第三内列を含み；前記第一外列、第二外列及び第三外列は、何れも前記主体熱交換器の風上側と近接して設置され、
前記熱交換器組立品が冷房する時、前記第一岐路は前記第一外列から流れ込み、前記第一外列と第一内列との全体を順に流れ、更に第一ジャンパ管を経て前記第二内列に入り、且つ前記第二内列から流れ出、前記第二岐路は前記第二外列から流れ込み、前記第二外列全体、及び前記第二内列の残りの部分を順に流れ、且つ前記第二内列から流れ出、前記第三岐路は前記第三外列から流れ込み、前記第三外列と第三内列との全体を順に流れ、且つ前記第三内列から流れ出る。
【００１４】
好ましくは、前記第一岐路は前記第一外列の前記中間熱交換器に近い熱交換管から入り、前記第一外列と第一内列との全体を順に流れ、前記第一内列の前記中間熱交換器に近い熱交換管に到達し、更に前記第一ジャンパ管を経て前記第二内列に入る。
【００１５】
好ましくは、前記前方熱交換器の熱交換管は第一外列と第一内列を含み、前記中間熱交換器の熱交換管は第二外列と第二内列を含み、前記後方熱交換器の熱交換管は第三外列と第三内列を含み；前記第一外列、第二外列及び第三外列は何れも前記主体熱交換器の風上側と近接して設置され、
前記熱交換器組立品が冷房する時、前記第一岐路は前記第二外列から流れ込み、前記第二外列に沿って流れ且つ第一ジャンパ管を経て前記第一外列に入り、そして前記第一外列と第一内列との全体を順に流れ、更に第二ジャンパ管を経て前記第二内列に入り、前記第二内列から流れ出、前記第二岐路は前記第二外列から流れ込み、前記第二外列と前記第二内列の残りの部分を順に流れ、且つ前記第二内列から流れ出、前記第三岐路は前記第三外列から流れ込み、前記第三外列と第三内列との全体を順に流れ、且つ前記第三内列から流れ出る。
【００１６】
好ましくは、前記背管熱交換器の熱交換管の管径は前記主体熱交換器の熱交換管の管径より大きい。
【００１７】
好ましくは、前記背管熱交換器は前記中間熱交換器の風上側に取り付けられている。
【００１８】
好ましくは、前記背管熱交換器は前記後方熱交換器よりも前記前方熱交換器に近接して設置されている。
【００１９】
好ましくは、前記背管熱交換器の熱交換管の数は２〜４本である。
【００２０】
本願は更に、熱交換器組立品、及び前記熱交換器組立品を収容する機器ケーシングを含むエアコン室内機を提案した。前記熱交換器組立品は、
半包囲状をなすように設置されている主体熱交換器であって、前方熱交換器、中間熱交換器及び後方熱交換器を含み、前記前方熱交換器、中間熱交換器及び後方熱交換器には吸気方向においてそれぞれ少なくとも二列の熱交換管が設置され、前記中間熱交換器の熱交換管の数は前記前方熱交換器及び後方熱交換器より大きい前記主体熱交換器と、
前記主体熱交換器の風上側に取り付けられている背管熱交換器とを含み、
前記熱交換器組立品が冷房する時、前記熱交換器組立品の熱交換流路は前記背管熱交換器を経てから第一岐路、第二岐路及び第三岐路に分かれ、前記第一岐路、第二岐路及び第三岐路は何れも前記主体熱交換器の風上側の熱交換管から風下側の熱交換管に向かって流れ、前記第一岐路は前記前方熱交換器の熱交換管を流れ、前記第二岐路は前記中間熱交換器の熱交換管を流れ、前記第三岐路は前記後方熱交換器の熱交換管を流れ、且つ前記第一岐路と第三岐路の少なくとも一方は前記中間熱交換器の熱交換管に跨って設置されている。
【００２１】
好ましくは、前記機器ケーシングの前後方向に沿う幅寸法は８００ｍｍより小さく、前記機器ケーシングの上下方向に沿う高さ寸法は２９５ｍｍより小さい。
【００２２】
好ましくは、前記熱交換器組立品が前記機器ケーシング内に設けられた時、前記後方熱交換器の配置方向と上下方向との角度範囲は３８°〜４８°である。
【００２３】
好ましくは、前記熱交換器組立品が前記機器ケーシング内に設けられた時、前記中間熱交換器と前記前方熱交換器の配置方向と上下方向との角度範囲は４５°〜５５°である。
【００２４】
好ましくは、前記中間熱交換器と後方熱交換器の互いに近接する端部は互いに当接され、或いは
前記中間熱交換器と後方熱交換器の互いに近接する端部の間に隙間が存在しており、前記エアコン室内機は更に前記中間熱交換器と後方熱交換器の互いに近接する端部の風上側の間に跨って接続されているウィンドウシールドを含む。
【００２５】
本願技術案の熱交換器組立品は主体熱交換器と主体熱交換器の風上側に設置されている背管熱交換器とを含み、主体熱交換器は前方熱交換器、中間熱交換器及び後方熱交換器を含む。熱交換器組立品が冷房する時、背管熱交換器を経た後、熱交換流路は第一岐路、第二岐路及び第三岐路に分流し、第一岐路は前方熱交換器を流れ、第二岐路は中間熱交換器を流れ、第三岐路は後方熱交換器を流れる。第一岐路と第三岐路のうち一方が中間熱交換器の熱交換管に跨って設置され、こうして流路を改善した後、前方熱交換器或いは後方熱交換器熱交換管を通った冷媒が、中間熱交換器の一部の熱交換管を続けて通るようにでき、第一岐路が前方熱交換器の熱交換管だけを通過或いは第三岐路が後方熱交換器の熱交換管だけを通過することで起こりうる冷媒の熱交換の不十分（前方熱交換器と後方熱交換器の熱交換管が比較的少ないので）、及び第二岐路が中間熱交換器の熱交換管だけを通過することで起こりうる構造の無駄の問題（中間熱交換器の熱交換管が比較的多いので）を避けるとともに、前方熱交換器、後方熱交換器と中間熱交換器との間の熱交換効果をより均衡にし、熱交換器組立品のエネルギー効率を有効に向上させる。
【図面の簡単な説明】
【００２６】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図１】本願のエアコン室内機の一実施例の構造模式図である。
【図２】本願の熱交換器組立品の第一実施例の流路模式図である。
【図３】本願の熱交換器組立品の第二実施例の流路模式図である。
【図４】本願の熱交換器組立品の第三実施例の流路模式図である。
【発明を実施するための形態】
【００２７】
添付図面を参照し、実施例と組み合わせて本願目的の実現、機能特徴及び長所を説明する。
【００２８】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００２９】
もし本願実施例で方向性指示（例えば上、下、左、右、前、後…）に関わる場合、当該方向性指示はある特定の姿勢（添付図面に示す）における各部品間の相対的位置関係、運動状況等を説明するためだけに用いられ、もし当該特定の姿勢が変わる場合、当該方向性指示もそれ相当に変わることは説明すべきである。
【００３０】
また、本願実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもいい。また、各実施例の技術案はお互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００３１】
本願は熱交換器組立品及び当該熱交換器組立品を含むエアコン室内機を提案する。もちろん、他の実施例において、当該熱交換器組立品は一体型エアコン及びエアコン室外機などにも応用でき、本設計はこれに限定されることはない。
【００３２】
図１を参照し、本実施例では、当該エアコン室内機は壁掛け式エアコン室内機であって、具体的に、機器ケーシング３、機器ケーシング３内に設置されている貫流ファン４を含む。勿論、熱交換器組立品１も機器ケーシング３内に設置され、且つ機器ケーシング３上の吸気口と貫流ファン４との間に位置することにより、貫流ファン４が吸い込んだ空気に対し熱交換を行う。本実施例では、壁掛け式エアコン室内機が組み立てられた後にユーザーに向かう側を前とし、壁に面する側を後とすることは容易に理解できる。壁掛け式エアコン室内機は、上方吸気下方送風の運転方式を取る。即ち、熱交換器組立品１は貫流ファン４の上側に位置する。本設計はこれに限定せず、他の実施例において、エアコン室内機は具体的に床置式室内エアコンなどとすることもできることは説明すべきである。
【００３３】
図１から図４を参照し、本願実施例において、当該熱交換器組立品１は、半包囲で貫流ファン４を取り囲むように設置されている主体熱交換器であって、前方熱交換器１１、中間熱交換器１２及び後方熱交換器１３を含み、前方熱交換器１１、中間熱交換器１２及び後方熱交換器１３は吸気方向においてそれぞれ少なくとも二列の熱交換管が設置され、中間熱交換器１２の熱交換管の数は前方熱交換器１１及び後方熱交換器１３より大きい主体熱交換器と、主体熱交換器の風上側に設置されている背管熱交換器１４を含む。  
【００３４】
本実施例では、前方熱交換器１１、中間熱交換器１２及び後方熱交換器１３は吸気方向において何れも二列の熱交換管が設置されている。これにより、熱交換管の列数が少なすぎて熱交換が不十分になるのを避けるだけではなく、熱交換管を多く設置し過ぎることによる構造の無駄を防ぐ。勿論、他の実施例において、各熱交換器の異なる熱交換需要を満たすために、吸気方向に三列、ひいては四列の熱交換管を設置できる。本設計はこれに限定しない。具体的に、前方熱交換器１１の熱交換管は第一外列１１１と第一内列１１２を含み、中間熱交換器１２の熱交換管は第二外列１２１と第二内列１２２を含み、後方熱交換器１３の熱交換管は第三外列１３１と第三内列１３２を含み、第一外列１１１、第二外列１２１及び第三外列１３１は何れも主体熱交換器の風上側に位置する。主体熱交換器の風上側に背管熱交換器１４を増設するのも、熱交換器組立品１の熱交換能力を増強するためであり、一般性を失わず、背管熱交換器１４のエネルギー効率を最大化するために、それを風上面積の最も大きい中間熱交換器１２の風上側に取り付ける。特に、中間熱交換器１２と後方熱交換器１３の互いに近接する一端の間に隙間が存在するのをできるだけ避けるべきである。本実施例では、エアコン室内機の特殊な機器ケーシング寸法に制限されるため、中間熱交換器１２と後方熱交換器１３の互いに近接する一端の間に隙間が存在しており、吸気口から入った空気が熱交換器組立品１を通過せずに貫流ファン４に入るのを避けるために、本実施例では、中間熱交換器１２と後方熱交換器１３の風上側の間には更にウィンドウシールド１６が跨って接続されている。例えば、ウィンドウシールド１６と熱交換器の接続を実現すると共に、ウィンドウシールド１６と熱交換器接触部分の密封性を保証するように、ウィンドウシールド１６の両端は、スポンジを介してそれぞれ中間熱交換器１２と後方熱交換器１３に貼り合わせて取り付けられている（これに限定しない）。同時に、スポンジで張り合わせる方法は、ユーザーが熱交換器組立品１を修理或いは交換する必要がある時、ウィンドウシールドを取り外しやすい。勿論、他の実施例において、ウィンドウシールド１６は更にネジ締めの方法で中間熱交換器１２と後方熱交換器１３に取り付けることができ、本設計はこれに限定しない。また、前方熱交換器１１と中間熱交換器１２の間に比較的大きい隙間が存在する場合でも、両者の間にウィンドウシールド１６を増設することで、熱交換器組立品１の隙間に風が入り込むことを避けることができる。
【００３５】
エアコン熱交換循環システムの中に、室内に位置する熱交換器組立品１以外に、室外機熱交換器、圧縮機などがあることは、理解できる。本実施例では、背管熱交換器１４は一端が主体熱交換器とつながり、もう一端が第一冷媒総管２４とつながり、第一冷媒総管２４は室外熱交換器との接続に用いられる。
【００３６】
本実施例では、図１から図４を参照し、熱交換器組立品１が冷房する時、圧縮機が送り出す冷媒はまず室外熱交換器を経て熱交換を行い、そして第一冷媒総管２４を通して背管熱交換器１４に入り、背管熱交換器１４を経てから第一岐路２１、第二岐路２２及び第三岐路２３に分かれ、第一岐路２１、第二岐路２２及び第三岐路２３は何れも主体熱交換器風上側の熱交換管から風下側の熱交換管に向かって流れる。第一岐路２１と第二岐路２２は前方熱交換器１１と中間熱交換器１２の全ての熱交換管を分担し、且つ第一岐路２１と第二岐路２２の少なくとも一方は前方熱交換器１１と中間熱交換器１２の熱交換管に跨って設置され、第三岐路２３は後方熱交換器１３の全ての熱交換管を流れる。第一岐路２１、第二岐路２２及び第三岐路２３は主体熱交換器を流れ出る後に第二冷媒総管２５で合流し、圧縮機に戻る。熱交換器組立品１が暖房する時、圧縮機が送り出した冷媒は先ず第二冷媒総管２５を通って熱交換器組立品１に入り、それぞれ第一岐路２１、第二岐路２２及び第三岐路２３を経て熱交換を完成させた後、合流して背管熱交換器１４を流れ、そして更に第一冷媒総管２４を通して室外熱交換器に入り熱交換し、最後に圧縮機に戻る。説明すべきは、本設計はこれに限定しない。他の実施例において、第一岐路２１は前方熱交換器１１の全ての熱交換管を流れ、一方、第二岐路２２と第三岐路２３は中間熱交換器１２と後方熱交換器１３の全ての熱交換管を分担し、しかも第二岐路２２と第三岐路２３の少なくとも一方は中間熱交換器１２と後方熱交換器１３の熱交換管に跨って設置されている。一般性を失わず、熱交換器組立品１が冷房する時、冷媒は背管熱交換器１４を経てから分配器１５を通して上記第一岐路２１、第二岐路２２及び第三岐路２３に分流する。勿論、他の実施例では、冷媒は笛型チューブなどの構造で分流してもよい。本設計はそれに対し制限しない。
【００３７】
先ず、本実施例における熱交換器組立品１について、理解すべきは、冷房作動条件において、第一岐路２１、第二岐路２２及び第三岐路２３では何れも外側（風上側）の熱交換管から内側（風下側）の熱交換管へと向かう流向原則を採用することで、最大限に熱交換効率を改善するように、熱交換の温度差を向上させる。表１では、熱交換器組立品１の冷房作動条件において外側熱交換管から徐々に内側熱交換管へと入る流路と他の形式の流路との、ＡＰＦ（エネルギー効率比）への影響を比較し分析した。
【００３８】
【表１】
0006858268.tif 000002
【００３９】
表１における異なる流路形式とAPFとの対応関係を比較してわかるのは、本実施例が採用した、三つの流路が何れも外側熱交換管から内側熱交換管へ流れる流路形式のエネルギー効率が最も高い。
【００４０】
背景技術の中で言及された「機器ケーシング３の寸法の制限により、前方熱交換器１１と中間熱交換器１２の熱交換管の数の差が大きく、冷媒がそれぞれ前方熱交換器１１と中間熱交換器１２に対し熱交換を行うことで、熱交換が不均衡になり、エネルギー効率が低い」という技術問題を解決するために、本実施例における熱交換器１２組立品１の流路設計はまた、第一岐路２１と第二岐路２２が前方熱交換器１１と中間熱交換器１２の熱交換管を分担し、且つ第一岐路２１と第二岐路２２の少なくとも一方は前方熱交換器１１と中間熱交換器１２の熱交換管の間に跨って接続されるように設置されていることを強調した。即ち、流路を前方熱交換器１１或いは中間熱交換器１２だけを流れるのに限定せず、両者の一部の熱交換管を直列連結する。こうして、前方熱交換器１１の熱交換不足を補えるだけでなく、中間熱交換器１２の構造の無駄を避けることができる。従って、前方熱交換器１１と中間熱交換器１２との間の熱交換均衡、及びそれらのエネルギー効率の向上を有効に実現できる。
【００４１】
本実施例では、第一岐路２１と第二岐路２２それぞれが流れる熱交換管の数の差が３より小さい或いは３と等しいように制御する。これにより、両者の間の熱交換エネルギーの差が大きすぎて、前方熱交換器１１と中間熱交換器１２との間の熱交換均衡性に影響するのを避ける。特に、第一岐路２１、第二岐路２２及び第三岐路２３のそれぞれが流れる熱交換管の数のうち、いずれか二者の差が３より小さい或いは３と等しいように制御することで、前方熱交換器１１、中間熱交換器１２及び後方熱交換器１３の三つの間の熱交換バランスを実現し、熱交換器組立品１全体のエネルギー効率を向上できる。
【００４２】
日常生活において、ユーザーの居住空間の設計の違いにより、多くの場合、壁掛け式エアコン室内機の機器ケーシング３の寸法に関する要求も異なる。本実施例では、機器ケーシング３の前後方向における幅寸法Ｌは８００ｍｍより小さく、機器ケーシング３の上下方向における高さ寸法Ｈは２９５ｍｍより小さい。当該機器ケーシング３の寸法に適合する熱交換器組立品１について、主体熱交換器内の熱交換管の総数を１８〜２２本に設定することで、限りある取付空間内で熱交換器組立品１が比較的高いエネルギー効率に維持されることを保証する。特に、本実施例では、主体熱交換器の熱交換管の数は２０である。また、このような寸法範囲の機器ケーシング３内に限定すれば、貫流ファン４のエネルギー効率及び空間占有を総合的に考慮し、貫流ファン４の直径Ｄを１１５ｍｍ〜１２５ｍｍに選定し、且つ主体熱交換器の内側面と貫流ファン４の外側面との間の間隔Ｓを１０ｍｍより大きく保つ。主体熱交換器が貫流ファンを半分取り囲んで、より良い熱交換エネルギー効率向上の効果及び結露排水の高信頼設計を達成できるのを保証するために、後方熱交換器１３と上下方向との角度が３８°〜４８°にあり、中間熱交換器１２及び前方熱交換器１１と上下方向との角度が４５°〜５５°にあるように保つ。
【００４３】
本願技術案の熱交換器組立品１は主体熱交換器と主体熱交換器の風上側に設置されている背管熱交換器１４を含み、主体熱交換器は前方熱交換器１１、中間熱交換器１２及び後方熱交換器１３を含む。熱交換器組立品１が冷房する時、背管熱交換器１４を通った後、熱交換流路２は第一岐路２１、第二岐路２２及び第三岐路２３に分流し、第一岐路２１は前方熱交換器１１を流れ、第二岐路２２は中間熱交換器１２を流れ、第三岐路２３は後方熱交換器１３を流れる。第一岐路２１と第三岐路２３の中の一方が中間熱交換器１２の熱交換管に跨って設置され、こうして流路を改善した後、前方熱交換器１１或いは後方熱交換器１３の熱交換管を通った冷媒が、中間熱交換器１２の一部の熱交換管を続けて通るようにでき、第一岐路２１が前方熱交換器１１の熱交換管だけを通過或いは第三岐路２３が後方熱交換器１３の熱交換管だけを通過することで起こりうる冷媒の熱交換の不十分（前方熱交換器１１と後方熱交換器１３の熱交換管が比較的少ないので）、及び第二岐路２２が中間熱交換器１２の熱交換管だけを通過することで起こりうる構造の無駄の問題（中間熱交換器１２の熱交換管が比較的多いので）を避けるとともに、前方熱交換器１１、後方熱交換器１２と中間熱交換器１３との間で、熱交換効果をより均衡にし、熱交換器組立品のエネルギー効率を有効に向上させる。
【００４４】
周知のように、小さい管径の熱交換管とすることで、熱交換管の使用材料が減少し、よって熱交換器組立品１全体のコストを著しく減少できるが、冷媒が小さい管径の熱交換管を通る時、熱交換の抵抗が大きく、圧力の損失が大きいので、冷媒の循環流動には不利である。本実施例では、熱交換器組立品１のコストと冷媒の循環流動効率の問題を総合的に考慮し、背管熱交換器１４の熱交換管管径を主体熱交換器の熱交換管管径より大きく設定する。これにより、熱交換器組立品１が冷房する時、冷媒は先ず背管熱交換器１４の大管径熱交換管に入り、そして更に分流し主体熱交換器の小管径熱交換管に入る。即ち、冷媒が気態から液態へと変わる過程で、相応に冷媒と熱交換管との接触面積を増やす。熱交換器組立品１が暖房する時、冷媒は先ず分流して主体熱交換器の小管径熱交換管内で熱交換し、そしてまとめて背管熱交換器１４の大管径熱交換管に入る。表２では熱交換器組立品１が暖房作動条件にある場合の、異なる管径における冷媒流動方式によるＡＰＦへの影響を比較して分析した。
【００４５】
【表２】
0006858268.tif 000003
【００４６】
表２における異なる流路形式とＡＰＦとの対応関係を比較してわかるのは、本実施例が採用した、暖房作動条件において、冷媒が先ず小さい管径の熱交換管を経て、そして大きい管径の熱交換管を経るようにする流路形式のエネルギー効率が最も高い。一般性を失わず、背管熱交換器１４の熱交換管はΦ７の管径を採用し、主体熱交換器の熱交換管はΦ５の管径を採用する。Φ７とΦ５の管径の熱交換管は何れも先行技術で広く使われている熱交換管であることは理解できる。従って、以上二種類の管径の熱交換管を選択することで、熱交換管の取得難易度の減少、熱交換器組立品１の製造コストの減少に役立つ。勿論、他の実施例において、背管熱交換器１４や、主体熱交換器それぞれの熱交換管は具体的に他の管径寸法にすることもできる。例えば、背管熱交換器１４の熱交換管はΦ６の管径を採用することもできる。本設計はこれに限定しない。ところで、本実施例では熱交換器組立品のエネルギー効率に対する要求と機器ケーシング３の寸法制限を合わせて考慮すると、背管熱交換器１４の熱交換管の数は２〜４本であるのが好ましく、更に背管熱交換器１４がより良く機器ケーシング３の吸気口に向かって設置されるように、背管熱交換器１４を後方熱交換器より前方熱交換器に近いように設置する。
【００４７】
更に、図１から図４を参照し、第二岐路２２は中間熱交換器１２の一部の熱交換管を流れ、第一岐路２１は中間熱交換器１２の残りの熱交換管、及び前方熱交換器１１の全ての熱交換管を流れる。このように設置することで、第一岐路２１と第二岐路２２が通過する熱交換管が互いに近い場合に、できるだけ流路の設計を簡略化し、主体熱交換器の製造難易度を下げられる。本設計はこれに限定しない。他の実施例において、第二岐路２２は前方熱交換器１１と中間熱交換器１２の一部の熱交換管を流れ、第一岐路２１は前方熱交換器１１と中間熱交換器１２の残りの熱交換管を流れることは説明すべきである。
【００４８】
以下では、主体熱交換器の具体的な流路設計を紹介する。熱交換器組立品１が冷房作動条件にある場合を例に取ると、本願の第一実施例は以下のとおりである。
【００４９】
図２を参照し、第一岐路２１は第二外列１２１の中部の熱交換管から流れ込み、第二外列１２１に沿って前方熱交換器１１側に向かって流れ、第一ジャンパ管１７を経て第一外列１１１に入り、第一外列１１１と第一内列１１２全体を順に流れ、第一内列１１２から流れ出る。第二岐路２２は第二外列１２１から流れ込み、第二外列１２１の残りの部分、及び第二内列１２２全体を流れ、第二内列１２２から流れ出る。第一岐路２１は中間熱交換器１２の最も前方熱交換器１１に近い熱交換管に流れ、そして第一ジャンパ管１７を通して前方熱交換器１１に入ることで、第一ジャンパ管１７の長さ、及び前方熱交換器１１と中間熱交換器１２との間の隙間の減少に役立つことは理解できる。具体的に、第一岐路２１は第二外列１２１の二本の熱交換管を経てから第一ジャンパ管１７を経て前方熱交換器１１に入る。本設計はこれに限定せず、他の実施例において、第一岐路２１は第二外列１２１の他の位置の熱交換管から流れ込んでもいいことは説明すべきである。
【００５０】
更に、第二岐路２２は第二外列１２１上の第一岐路２１が流れ込む熱交換管と隣り合う熱交換管から流れ込み、第二外列１２１に沿って後方熱交換器１３側に向かって流れる。第一岐路２１と第二岐路２２はそれぞれ第二外列１２１の二つの反対側に沿って流れることにより、第二外列１２１の熱交換管を分担する。このように配置することで、第二岐路２２が第二外列１２１の熱交換管をまんべんなく流れるために、その流動方向を変えなければならないことを避ける。即ち、第二岐路２２の流向を簡略化することを理解すべきである。具体的に、第二岐路２２は第二外列１２１の三本の熱交換管を経てから第二内列１２２に入る。本設計はこれに限定せず、他の実施例において、第二岐路２２は第二外列１２１の一番後端の熱交換管から流れ込み、且つ第二外列１２１に沿って前方熱交換器１１側に向かって、第二外列１２１上の第一岐路２１が流れ込む熱交換管と隣り合う熱交換管まで流れることは、説明すべきである。
【００５１】
更に、第一岐路２１は第一ジャンパ管１７を経て第一外列１１１の中間熱交換器１２に近い熱交換管に入り、そして第一外列１１１と第一内列１１２との全体を順に流れ、更に第一内列１１２の中間熱交換器１２に近い熱交換管から流れ出る。こうして配置することで、第一岐路２１は前方熱交換器１１の風上側の上端から流れ込み、冷却剤の熱交換をより良く実現させるように、この位置での風量は、第一岐路２１内の冷媒のこの時点の比較的高いエネルギーに適合する。第一岐路２１が上から下へと第一外列１１１全体を流れ、そして下から上へと第一内列１１２全体を流れる方法により、前方熱交換器１１の中の流路設計を簡略化したことを理解すべきである。本設計はこれに限定せず、他の実施例において、第一岐路２１は第一外列１１１の他の熱交換管から前方熱交換器１１に入るか、第一内列１１２の他の熱交換管にて前方熱交換器１１から排出されてもいいことは説明すべきである。
【００５２】
更に、第二岐路２２は第二外列１２１から第二内列１２２の後方熱交換器１３に近い熱交換管に入り、そして第二内列１２２に沿って前方熱交換器１１側に向かって流れ、更に第二内列１２２の前方熱交換器１１に近い熱交換管から流れ出る。こうして配置することで、第二岐路２２はいつも前に向かって流れるように保たれればよいので、流向の設計が簡単で、中間熱交換器１２の加工難易度の低下に役立つことを理解すべきである。本設計はこれに限定せず、他の実施例において、第二岐路２２は第二外列１２１から第二内列１２２の他の熱交換管に流れ込み、あるいは、第二内列１２２の他の熱交換管にて中間熱交換器１１から流れ出てもいいことは説明すべきである。
【００５３】
更に、第三岐路２３は第三外列１３１の中間熱交換器１２に近い熱交換管から流れ込み、そして第三外列１３１と第三内列１３２との全体を順に流れ、更に第三内列１３２の中間熱交換器１２に近い熱交換管から流れ出る。こうして配置することで、第三岐路２３は後方熱交換器１３の風上側の上端から流れ込み、冷却剤の熱交換をより良く実現させるように、この位置での風量は、第三岐路２３内の冷媒のこの時点の比較的高いエネルギーに適合する。第三岐路２３が上から下へと第三外列１３１全体を流れ、そして下から上へと第三内列１３２全体を流れる方法により、後方熱交換器１３の中の流路設計を簡略化したことを理解すべきである。本設計はこれに限定せず、他の実施例において、第三岐路２３は第三外列１３１の他の熱交換管から後方熱交換器１３に入るか、第三内列１３２の他の熱交換管にて後方熱交換器１３から排出されてもいいことは説明すべきである。
【００５４】
以上の本実施例での主体熱交換器の具体的流路設計に基づき、表３では三つの岐路における熱交換管の本数の配分方式の、ＡＰＦへの影響を比較して分析する。
【００５５】
【表３】
0006858268.tif 000004
【００５６】
表３における熱交換管本数の配分方式とＡＰＦとの対応関係を比較してわかるように、第一岐路２１が６本の熱交換管、第二岐路２２が７本の熱交換管、第三岐路２３が７本の熱交換管を通過する案を採用することで、熱交換器組立品１のエネルギー効率を最高にするのが好ましい。このように配置することで、第一岐路２１と第二岐路２２との、通過する熱交換管の本数の差は１、第一岐路２１と第三岐路２３との、通過する熱交換管の本数の差は１、第二岐路２２と第三岐路２３との、通過する熱交換管の本数の差は０になる。これは前記の、熱交換器組立品１のエネルギー効率を向上させるために、何れか二つの岐路の間での、通過する熱交換管の数の差に対してなされた、３より小さいか３に等しいという限定に一致することは、明らかである。
【００５７】
本願の第二実施例において、図３を参照し、第一岐路２１は第二外列１２１の前方熱交換器１１に近い熱交換管から流れ込み、第二外列１２１に沿って前方熱交換器１１側に向かって流れ、第一ジャンパ管１７を経て第一外列１１１に入り、第一外列１１１と第一内列１１２との全体を順に流れ、更に第二ジャンパ管１８を経て第二内列１２２に入り、第二内列１２２から流れ出る。第二岐路２２は第二外列１２１から流れ込み、第二外列１２１と第二内列１２２の残りの部分を流れ、第二内列１２２から流れ出る。第一岐路２１は中間熱交換器１２の最も前方熱交換器１１に近い熱交換管に流れ、そして第一ジャンパ管１７を通して前方熱交換器１１に入ることで、第一ジャンパ管１７の長さ、及び前方熱交換器１１と中間熱交換器１２との間の隙間の減少に役立つことは理解できる。具体的に、第一岐路２１は第二外列１２１の一本の熱交換管を経てから第一ジャンパ管１７を経て前方熱交換器１１に入る。本設計はこれに限定せず、他の実施例において、第一岐路２１は第二外列１２１の他の位置の熱交換管から流れ込んでもいいことは説明すべきである。
【００５８】
更に、第二岐路２２は第二外列１２１上の第一岐路２１が流れ込む熱交換管と隣り合う熱交換管から流れ込み、第二外列１２１に沿って後方熱交換器１３に向かって流れる。第一岐路２１と第二岐路２２はそれぞれ第二外列１２１の二つの反対側に沿って流れることにより、第二外列１２１の熱交換管を分担する。このように配置することで、第二岐路２２が第二外列１２１の熱交換管をまんべんなく流れるために、その流動方向を変えなければならないことを避ける。即ち、第二岐路２２の流向を簡略化することを理解すべきである。具体的に、第二岐路２２は第二外列１２１の四本の熱交換管を経てから第二内列１２２に入る。本設計はこれに限定せず、他の実施例において、第二岐路２２は第二外列１２１の一番後端の熱交換管から流れ込み、且つ第二外列１２１に沿って前方熱交換器１１側に向かって、第二外列１２１上の第一岐路２１が流れ込む熱交換管と隣り合う熱交換管まで流れることは、説明すべきである。
【００５９】
更に、第一岐路２１は第一ジャンパ管１７を経て第一外列１１１の中間熱交換器１２に近い熱交換管に入り、そして第一外列１１１と第一内列１１２との全体を順に流れ、更に第一内列１１２の中間熱交換器１２に近い熱交換管に到達し、そして第二ジャンパ管１８を経て第二内列１２２に入る。こうして配置することで、第一岐路２１は前方熱交換器１１の風上側の上端から流れ込み、冷媒の熱交換をより良く実現させるように、この位置での風量は、第一岐路２１内の冷媒のこの時点の比較的高いエネルギーに適合する。第一岐路２１が上から下へと第一外列１１１全体を流れ、そして下から上へと第一内列１１２全体を流れる方法により、前方熱交換器１１の中の流路設計を簡略化した。それに、第一岐路２１が前方熱交換器１１の中間熱交換器１２に近い熱交換管から第二ジャンパ管１８を通して中間熱交換器１２に入ることは、第二ジャンパ管１８の長さ、及び前方熱交換器１１と中間熱交換器１２との間の隙間の減少にも役立つことを理解すべきである。本設計はこれに限定せず、他の実施例において、第一岐路２１は第一外列１１１の他の熱交換管から前方熱交換器１１に入るか、第一内列１１２の他の熱交換管から第二ジャンパ管１８を経て中間熱交換器１２に入ってもいいことは説明すべきである。
【００６０】
更に、第一岐路２１は第二ジャンパ管１８を経て第二内列１２２の前方熱交換器１１に近い熱交換管に入り、そして第二内列１２２に沿って後方熱交換器１３側に向かって流れ、更に第二内列１２２中部の熱交換管から流れ出る。このように配置することで、第一岐路２１は第二内列１２２の前方熱交換器１１に近い熱交換管から入ることにより、第二ジャンパ管１８の長さ、及び前方熱交換器１１と中間熱交換器１２との間の隙間の減少に役立つことは理解できる。具体的に、第一岐路２１は第二内列１２２の二本の熱交換管を経てから中間熱交換器１２から排出される。本設計はこれに限定せず、他の実施例において、第一岐路２１は第二内列１２２の他の熱交換管から中間熱交換器１２に入るか、第二内列１２２の他の熱交換管にて中間熱交換器１２から排出されてもいいことは説明すべきである。
【００６１】
更に、第二岐路２２は第二外列１２１から第二内列１２２の後方熱交換器１３に近い熱交換管に入り、そして第二内列１２２に沿って前方熱交換器１１側に向かって流れ、更に第一岐路２１が流れ出る熱交換管に隣り合う熱交換管から流れ出る。こうして配置することで、第二岐路２２は第二内列１２２に入ってからいつも前に向かって流れるように保たれればよいので、流向の設計が簡単で、中間熱交換器１２の加工難易度の低下に役立つことを理解すべきである。本設計はこれに限定せず、他の実施例において、第二岐路２２は第二外列１２１から第二内列１２２の他の熱交換管に流れ込み、あるいは、第二内列１２２の他の熱交換管にて中間熱交換器１１から流れ出てもいいことは説明すべきである。
【００６２】
更に、第三岐路２３は第三外列１３１の中間熱交換器１２に近い熱交換管から流れ込み、そして第三外列１３１と第三内列１３２との全体を順に流れ、更に第三内列１３２の中間熱交換器１２に近い熱交換管から流れ出る。こうして配置することで、第三岐路２３は後方熱交換器１３の風上側の上端から流れ込み、冷媒の熱交換をより良く実現させるように、この位置での風量は、第三岐路２３内の冷媒のこの時点の比較的高いエネルギーに適合する。第三岐路２３が上から下へと第三外列１３１全体を流れ、そして下から上へと第三内列１３２全体を流れる方法により、後方熱交換器１３の中の流路設計を簡略化したことを理解すべきである。本設計はこれに限定せず、他の実施例において、第三岐路２３は第三外列１３１の他の熱交換管から後方熱交換器１３に入るか、第三内列１３２の他の熱交換管にて後方熱交換器１３から排出されてもいいことは説明すべきである。
【００６３】
以上の本実施例での主体熱交換器の具体的流路設計に基づき、表４では三つの岐路における熱交換管の本数の分配方式の、ＡＰＦへの影響を対照して分析する。
【００６４】
【表４】
0006858268.tif 000005
【００６５】
表４における熱交換管の本数の分配方式とＡＰＦとの対応関係を比較してわかるように、第一岐路２１が８本の熱交換管、第二岐路２２が６本の熱交換管、第三岐路２３が７本の熱交換管を通過する案を採用することで、熱交換器組立品１のエネルギー効率を最高にするのが好ましい。このように配置することで、第一岐路２１と第二岐路２２との、通過する熱交換管の本数の差は２、第一岐路２１と第三岐路２３との、通過する熱交換管の本数の差は１、第二岐路２２と第三岐路２３との、通過する熱交換管の本数の差は１になる。これは前記の、熱交換器組立品１のエネルギー効率を向上させるために、何れか二つの岐路の間の、通過する熱交換管の数の差に対してなされた、３より小さいか３に等しいという限定に一致することは、明らかである。
【００６６】
本願の第三実施例において、図４を参照し、第一岐路２１は第一外列１１１の中間熱交換器１２に近い熱交換管から流れ込み、第一外列１１１と第一内列１１２との全体を順に流れ、第一内列１１２の中間熱交換器１２に近い熱交換管に到達し、更に第二ジャンパ管１８を経て第二内列１２２に入り、第二内列１２２から流れ出る。第二岐路２２は第二外列１２１から流れ込み、第二外列１２１全体と第二内列１２２の残りの部分を流れ、第二内列１２２から流れ出る。こうして配置することで、第一岐路２１は前方熱交換器１１の風上側の上端から流れ込み、冷媒の熱交換をより良く実現させるように、この位置での風量は、第一岐路２１内の冷媒のこの時点の比較的高いエネルギーに適合する。第一岐路２１が上から下へと第一外列１１１全体を流れ、そして下から上へと第一内列１１２全体を流れる方法により前方熱交換器１１の中の流路設計を簡略化した。また、第二岐路２２について、跨って前方熱交換器１１内に入る必要はなく、その流路設計の難易度の低減に役立つことを理解すべきである。本設計はこれに限定せず、他の実施例において、第一岐路２１は第一外列１１１の他の熱交換管から流れ込むか、あるいは第一内列１１２の他の熱交換管から第二ジャンパ管１８を通して第二内列１２２に入ってもいいことは説明すべきである。
【００６７】
更に、第二岐路２２は第二外列１２１の前方熱交換器１１に近い熱交換管から流れ込み、且つ第二外列１２１に沿って第二外列１２１の後方熱交換器１３に近い熱交換管まで流れ、更に第二内列１２２に流れ込む。こうして配置することで、第二岐路２２は第二外列１２１を流れる時流向を変えることなく、第二外列１２１全体の熱交換管を流れることができ、流路の設計が簡単で、中間熱交換器１２の加工難易度の低減に役立つことを理解すべきである。本設計はこれに限定せず、他の実施例において、第二岐路２２は第二外列１２１の後方熱交換器１３に近い熱交換管から流れ込み、且つ第二外列１２１に沿って第二外列１２１の前方熱交換器１１に近い熱交換管まで流れ、更に第二内列１２２に流れ込むことは説明すべきである。
【００６８】
更に、第一岐路２１は第二ジャンパ管１８を経て第二内列１２２の前方熱交換器１１に近い熱交換管に入り、そして第二内列１２２に沿って後方熱交換器１３側に向かって流れ、更に第二内列１２２中部の熱交換管から流れ出る。このように配置することで、第一岐路２１は第二内列１２２の前方熱交換器１１に近い熱交換管から入ることにより、第二ジャンパ管１８の長さ、及び前方熱交換器１１と中間熱交換器１２との間の隙間の減少に役立つことは理解できる。具体的に、第一岐路２１は第二内列１２２の二本の熱交換管を経てから中間熱交換器１２から排出される。本設計はこれに限定せず、他の実施例において、第一岐路２１は第二内列１２２の他の熱交換管から中間熱交換器１２に入るか、あるいは第二内列１２２の他の熱交換管にて中間熱交換器１２から排出されてもいいことは説明すべきである。
【００６９】
更に、第二岐路２２は第二外列１２１から第二内列１２２の後方熱交換器１３に近い熱交換管に入り、そして第二内列１２２に沿って前方熱交換管側に向かって流れ、更に第一岐路２１の流れ出る熱交換管に隣り合う熱交換管から流れ出る。第二岐路２２は第二内列１２２に入ってからいつも前に向かって流れるように保たれればよいので、流向の設計が簡単で、中間熱交換器１２の加工難易度の低下に役立つ。本設計はこれに限定せず、他の実施例において、第二岐路２２は第二外列１２１から第二内列１２２の他の熱交換管に流れ込み、あるいは、第二内列１２２の他の熱交換管にて中間熱交換器１１から流れ出てもいいことは説明すべきである。
【００７０】
更に、第三岐路２３は第三外列１３１の中間熱交換器１２に近い熱交換管から流れ込み、そして第三外列１３１と第三内列１３２との全体を順に流れ、更に第三内列１３２の中間熱交換器１２に近い熱交換管から流れ出る。こうして配置することで、第三岐路２３は後方熱交換器１３の風上側の上端から流れ込み、冷媒の熱交換をより良く実現させるように、この位置での風量は、第三岐路２３内の冷媒のこの時点の比較的高いエネルギーに適合する。第三岐路２３が上から下へと第三外列１３１全体を流れ、そして下から上へと第三内列１３２全体を流れる方法により、後方熱交換器１３の中の流路設計を簡略化したことを理解すべきである。本設計はこれに限定せず、他の実施例において、第三岐路２３は第三外列１３１の他の熱交換管から後方熱交換器１３に入るか、あるいは第三内列１３２の他の熱交換管にて後方熱交換器１３から排出されてもいいことは説明すべきである。
【００７１】
以上の本実施例での主体熱交換器の具体的流路設計に基づき、表５では三つの岐路における熱交換管の本数の分配方式の、ＡＰＦへの影響を比較して分析する。
【００７２】
【表５】
0006858268.tif 000006
【００７３】
表５における熱交換管の本数の分配方式とＡＰＦとの対応関係を比較してわかるように、第一岐路２１が７本の熱交換管、第二岐路２２が7本の熱交換管、第三岐路２３が７本の熱交換管を通過する案を採用することで、熱交換器組立品１のエネルギー効率を最高にするのが好ましい。このように配置することで、第一岐路２１と第二岐路２２との、通過する熱交換管の本数の差は０、第一岐路２１と第三岐路２３との、通過する熱交換管の本数の差は０、第二岐路２２と第三岐路２３との、通過する熱交換管の本数の差は０になる。これは前記の、熱交換器組立品１のエネルギー効率を向上させるために、何れか二つの岐路の間の通過する熱交換管の数の差に対してなされた、３より小さいか３に等しいという限定に一致することは、明らかである。
【００７４】
本願は更に、エアコン室外機とエアコン室内機を含むエアコンを提案した。当該エアコン室内機の具体的な構造については、前記実施例を参照されたい。本エアコン室内機は上記全ての実施の全ての技術案を採用したので、少なくとも上記実施例の技術案がもたらす全ての有益な効果を有し、ここでは逐一贅言しない。
【００７５】
以上に述べたことは本願の好ましい実施例にすぎず、それによって本願の特許の範囲を制限するわけではない。本願の出願構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００７６】
１      熱交換器組立品
１１    前方熱交換器
１１１  第一外列
１１２  第一内列
１２    中間熱交換器
１２１  第二外列
１２２  第二内列
１３    後方熱交換器
１３１  第三外列
１３２  第三内列
１４    背管熱交換器
１５    分配器
１６    ウィンドウシールド
１７    第一ジャンパ管
１８    第二ジャンパ管
２      熱交換流路
２１    第一岐路
２２    第二岐路
２３    第三岐路
２４    第一冷媒総管
２５    第二冷媒総管
３      機器ケーシング
４      貫流ファン
【図１】
0006858268.tif 000007
【図２】
0006858268.tif 000008
【図３】
0006858268.tif 000009
【図４】
0006858268.tif 000010